(57)【特許請求の範囲】
【請求項１】
雌型流体コネクタと、これにルアーロック機構によって係合する雄型流体コネクタとからなり、前記雌型流体コネクタ及び前記雄型流体コネクタの双方は、ともに６°のテーパ面を持つルアーロック型流体コネクタであって、
前記雌型流体コネクタが、中心に６°のテーパ面を持つ流路孔を有する連結用円筒部の先端で半径方向外側に突出しピッチ２．５ｍｍの２条右雌ねじに螺合されるよう形成された第１の突起部と、前記連結用円筒部の前記第１の突起部よりも基端側でピッチ２．５ｍｍの２条右雌ねじを有する雄型コネクタの動作する範囲の外側に前記第１の突起部の突出高さより高く形成された第２の突起部とを備え、
前記雄型流体コネクタが、先端側が前記流路孔に挿入される６°のテーパ面を持つノズル部、および前記ノズル部の基端側に固設され前記第１の突起部と係合するキー溝が形成されたカラー部を有する回転規制スリーブと、該回転規制スリーブの外側に回転自在に配置され内周面に前記第２の突起部が螺合する雌ねじ部を有する回転リングとを備え、
前記６°のテーパ面を持つノズル部が前記６°のテーパ面を持つ流路孔に接続されることを特徴とするルアーロック型流体コネクタ。
【請求項２】
請求項１記載のルアーロック型流体コネクタであって、
前記第１の突起部は、前記連結用円筒部の直径方向に一対が形成されているルアーロック型流体コネクタ。
【請求項３】
操作部と、該操作部から延長された挿入部と、前記操作部に配置され前記挿入部の内部に延設した少なくとも一つのチャネルと連通する開口端と、を備えた内視鏡であって、
前記開口端に配設される流体コネクタが、請求項１又は請求項２記載のルアーロック型流体コネクタである内視鏡。
【請求項４】
請求項１又は請求項２記載のルアーロック型流体コネクタに用いられる前記雌型流体コネクタ。
【発明の詳細な説明】
【技術分野】
【０００１】
本発明は、ルアーロック型流体コネクタ、このルアーロック型流体コネクタを備える内視鏡、および雌型流体コネクタに関する。
【背景技術】
【０００２】
医療用具、例えば注射器や内視鏡などには、他の医療用具と接続可能なルアーロック型流体コネクタが設けられ、該ルアーロック型流体コネクタを介して薬液、水、体液、空気などの流体を液漏れや空気漏れのない状態で流通させる。ルアーロック型流体コネクタの基本形状は、ＩＳＯ ５９４に規定されている。
【０００３】
従来のルアーロック型流体コネクタ１は、例えば図１０に示すように、オス型コネクタ３と、メス型コネクタ５とを備える。オス型コネクタ３は、外周面７ａがテーパ状に形成されたノズル部７と、内周面に２条右雌ねじ９が形成されたカラー部１１を備える。また、メス型コネクタ５は、テーパを有するテーパ孔１３ａを有すると共に、先端部に半径方向外方に突出する一対のオスねじ部１３ｂが設けられたメス嵌合部１３を備える。このオス型コネクタ３とメス型コネクタ５とは、ノズル部７をメス嵌合部１３のテーパ孔１３ａに挿入・嵌合させた後、カラー部１１を矢印方向に回転させることによって、２条右雌ねじ９を一対のオスねじ部１３ｂに螺合させて結合するようになっている。
【０００４】
また、ブラスト処理によりルアーロック部内部を粗面とし、ルアーロック部に接合されるエクステンションチューブなどとの結合力を高めるようにしたプラスチックシリンジバレル及びその改良方法が知られている（例えば、特許文献１参照）。
【特許文献１】国際公開第９９／４９９１４号パンフレット
【発明の開示】
【発明が解決しようとする課題】
【０００５】
しかしながら、図１０に示す従来のルアーロック型流体コネクタ１は、２条右雌ねじ９と一対のオスねじ部１３ｂとの螺合だけによって結合されているので、予期せぬ外力が作用してカラー部１１が左回転すると、ノズル部７とメス嵌合部１３との嵌合が緩み、ノズル部７の外周面７ａとテーパ孔１３ａとの間に隙間ができて流体漏れが生じたり、場合によってはメス型コネクタ５からオス型コネクタ３が外れる虞があった。
【０００６】
特に、内視鏡などに使用されるルアーロック型流体コネクタ１においては、オス型コネクタ３に軸線方向と交差する方向に送液チューブなどが配置されると、内視鏡の操作時に送液チューブなどに誤って触れたときに、カラー部１１が回転してしまい、オス型コネクタ３とメス型コネクタ５との結合が緩む可能性があった。
【０００７】
本発明は上記状況に鑑みてなされたもので、従来のルアーロック機構を有する接続器具との互換性を維持したまま、ルアーロック部の緩みや外れを確実に防止して、信頼性の高いルアーロック型流体コネクタ、内視鏡、及び雌型流体コネクタを提供することを目的としている。
【課題を解決するための手段】
【０００８】
本発明の上記目的は、下記構成により達成される。
（１）  雌型流体コネクタと、これにルアーロック機構によって係合する雄型流体コネクタとからなり、前記雌型流体コネクタ及び前記雄型流体コネクタの双方は、ともに６°のテーパ面を持つルアーロック型流体コネクタであって、
前記雌型流体コネクタが、中心に６°のテーパ面を持つ流路孔を有する連結用円筒部の先端で半径方向外側に突出しピッチ２．５ｍｍの２条右雌ねじに螺合されるよう形成された第１の突起部と、前記連結用円筒部の前記第１の突起部よりも基端側でピッチ２．５ｍｍの２条右雌ねじを有する雄型コネクタの動作する範囲の外側に前記第１の突起部の突出高さより高く形成された第２の突起部とを備え、
前記雄型流体コネクタが、先端側が前記流路孔に挿入される６°のテーパ面を持つノズル部、および前記ノズル部の基端側に固設され前記第１の突起部と係合するキー溝が形成されたカラー部を有する回転規制スリーブと、該回転規制スリーブの外側に回転自在に配置され内周面に前記第２の突起部が螺合する雌ねじ部を有する回転リングとを備え、
前記６°のテーパ面を持つノズル部が前記６°のテーパ面を持つ流路孔に接続されることを特徴とするルアーロック型流体コネクタ。
【０００９】
上記構成のルアーロック型流体コネクタによれば、カラー部のキー溝に第１の突起部を係合させながら雄型流体コネクタのノズル部を雌型流体コネクタの流路孔に挿入・嵌合することによって、雌型流体コネクタと雄型流体コネクタとの相対回転が確実に防止される。更にこの状態で、回転リングを回転させて第２の突起部を雌ねじ部に螺合させることにより、雌型流体コネクタの流路孔と雄型流体コネクタのノズル部とを密接させて結合することができる。
従って、雄型流体コネクタに回転方向の力が作用しても、雌型流体コネクタと雄型流体コネクタとの結合が緩むことがなく、液漏れや気体漏れのない状態での接続が維持され、信頼性の高いルアーロック型流体コネクタが得られる。雌型流体コネクタと雄型流体コネクタとの結合の解除は、回転リングを意図的に回転させることによってのみ可能となる。
また、上記構成のルアーロック型流体コネクタによれば、連結用円筒部の流路孔の内周面と、ノズル部の外周面とが互いに密接するテーパ面で形成されているので、液漏れや気体漏れのない状態で雌型流体コネクタと雄型流体コネクタとを接続することができる。
また、上記構成のルアーロック型流体コネクタによれば、第２の突起部が連結用円筒部の直径方向に一対形成され、回転リングの雌ねじ部が二条ねじからなるので、本発明のルアーロック型流体コネクタの雌型流体コネクタと雄型流体コネクタとを、従来のルアーロック機構と同様に、容易且つ確実に接続することができる。
【００１０】
（２） （１）記載のルアーロック型流体コネクタであって、
前記第１の突起部は、前記連結用円筒部の直径方向に一対が形成されているルアーロック型流体コネクタ。
【００１１】
上記構成のルアーロック型流体コネクタによれば、第１の突起部は、連結用円筒部の直径方向に一対が形成されているので、従来のルアーロック機構を備える接続器具（雄型流体コネクタ）をそのまま本発明の雌型流体コネクタに接続することができる。これにより、本発明のルアーロック型流体コネクタと、従来のルアーロック機構を備える接続器具との互換性が保たれて、利便性を大幅に向上させることができる。
【００１６】
（３） 操作部と、該操作部から延長された挿入部と、前記操作部に配置され前記挿入部の内部に延設した少なくとも一つのチャネルと連通する開口端と、を備えた内視鏡であって、
前記開口端に配設される流体コネクタが、（１）又は（２）記載のルアーロック型流体コネクタである内視鏡。
【００１７】
上記構成の内視鏡によれば、内視鏡の開口端に配設される流体コネクタが、本発明のルアーロック型流体コネクタであるので、流体コネクタの軸線方向と交差する方向に配置される送液チューブなどに誤って触れても、雌型流体コネクタと雄型流体コネクタとが相対回転することがなく、従って、信頼性の高い、且つ操作性に優れた内視鏡を提供することができる。
【００１８】
（４） （１）又は（２）記載のルアーロック型流体コネクタに用いられる前記雌型流体コネクタ。
【００１９】
上記構成の雌型流体コネクタによれば、第１の突起部を雄型流体コネクタ側に回転不能に係合させながら雄型流体コネクタのノズル部を雌型流体コネクタの流路孔に挿入・嵌合することによって、雌型流体コネクタと雄型流体コネクタとの相対回転が確実に防止される。更にこの状態で、第２の突起部を雄型流体コネクタ側に螺合させることにより、雌型流体コネクタの流路孔と雄型流体コネクタのノズル部とを密接させて結合することができる。また、第１の突起部は、従来の雄型のルアー接続器具と接続可能に互換性が維持されるので、利便性を向上させることができる。
【発明の効果】
【００２６】
本発明のルアーロック型流体コネクタによれば、カラー部のキー溝に第１の突起部を係合させながら雄型流体コネクタのノズル部を雌型流体コネクタの流路孔に挿入・嵌合した後、回転リングを回転させて第２の突起部を雌ねじ部に螺合させて雌型流体コネクタと雄型流体コネクタとが結合される。これによって雌型流体コネクタと雄型流体コネクタとの相対回転が確実に防止されて、雄型流体コネクタに回転方向の力が作用しても、雌型流体コネクタと雄型流体コネクタとの結合が緩むことはなく、液漏れや気体漏れのない状態での接続を維持することができる。従って、極めて信頼性の高いルアーロック型流体コネクタを提供することができる。
【発明を実施するための最良の形態】
【００２７】
以下、本発明に係るルアーロック型流体コネクタの好適な実施の形態について、図面を参照して詳細に説明する。なお、ここでは、ルアーロック型流体コネクタを内視鏡の鉗子挿入部に適用した例について説明する。
【００２８】
図１は本発明の実施の形態に係る内視鏡の全体構成図、図２は鉗子挿入部に配設されたルアーロック型流体コネクタの図１におけるＡ−Ａ断面図である。
【００２９】
図１に示すように、内視鏡１００は、操作部２１と、この操作部２１に連設され、体腔内に挿入される挿入部２３とを備える。操作部２１には、ユニバーサルケーブル２５が接続され、このユニバーサルケーブル２５の先端に不図示のライトガイドコネクタが設けられる。ライトガイドコネクタは光源装置に着脱自在に連結され、これによって挿入部先端２３ａの照明光学系に照明光が送られる。また、ライトガイドコネクタには、電気コネクタが接続され、この電気コネクタが画像処理を行うプロセッサに着脱自在に連結される。
【００３０】
操作部２１には、送気・送水ボタン２７、吸引ボタン２９、シャッターボタン３１、および機能切替ボタン３３が並設されるとともに、一対の操作手段であるアングルつまみ３５，３６が設けられる。操作部２１には、挿入部２３側へ連設された連設部３９が形成され、この連設部３９には開口端としての鉗子挿入部４１が設けられている。鉗子挿入部４１は、挿入部２３の内部に延設されたチャネル４３（図２参照）と連通しており、鉗子等の処置具（図示せず）を挿入することによって、この処置具を挿入部先端２３ａの不図示の鉗子口から導出させる。
【００３１】
挿入部２３は、被験者の体腔内に挿入されるものであり、操作部２１側から軟性部５１、湾曲部５３、および先端硬質部５５とに分かれている。先端硬質部５５には、照明部と観察部とからなる内視鏡観察手段（図示せず）が設けられている。湾曲部５３は、操作部２１に装着されたアングルつまみ３５，３６を操作することによって、先端硬質部５５を破線で示すように所望の方向に向けることができる。
【００３２】
図３は鉗子挿入部に配設されたルアーロック型流体コネクタの分解斜視図である。ルアーロック型流体コネクタ２００は、鉗子挿入部４１の開口孔５７に装着される雌型流体コネクタ６１と、これと嵌合する雄型流体コネクタ６３とを備え、雌型流体コネクタ６１，雄型流体コネクタ６３の順に鉗子挿入部４１に取り付けられる。以下、これら雌型流体コネクタ６１，雄型流体コネクタ６３を順次説明する。
【００３３】
図４（ａ）は雌型流体コネクタの外観斜視図、（ｂ）は（ａ）におけるＢ矢視図である。
雌型流体コネクタ６１は、鉗子挿入部４１の開口孔５７に嵌合する大径部６５と、小径の連結用円筒部６７とが一体に形成され、軸方向に貫通する流路孔６９が中心に形成された円筒状部材である。連結用円筒部６７に形成された流路孔６９は、その内周面が、例えば６°のテーパ面７１を有するテーパ孔となっている。
【００３４】
大径部６５の外周面には、固定用ねじ７３や０リング溝７５などが形成されている。また、連結用円筒部６７の先端には、一対の第１のルアー突起部（第１の突起部）７７が半径方向外側に突出して１８０°の位相で形成されている。第１のルアー突起部７７よりも基端側の連結用円筒部６７には、一対の第２のルアー突起部（第２の突起部）７９が、半径方向外側に突出して１８０°の位相で形成されている。第２のルアー突起部７９の外径Ｄ２は、第１のルアー突起部７７の外径Ｄ１よりも大きく（Ｄ２＞Ｄ１）形成されている。
【００３５】
一対の第１のルアー突起部７７の形状は、ＩＳＯ ５９４／２に規定されているメス型テーパ円錐形ロック接続器具のラグ（ねじ部の一部）と同一形状とされている。第２のルアー突起部７９の形状は、後述するルアー回転リング８５の雌ねじ部１０３に螺合する形状であれば任意の形状とすることができるが、ＩＳＯ ５９４／２に規定されているラグ（ねじ部の一部）に準拠した形状とすることが望ましい。
【００３６】
また、図中、第１のルアー突起部７７と第２のルアー突起部７９との配置の位相は９０°異なる位相に形成されているが、これに限らず任意の位相とすることができる。
このような雌型流体コネクタ６１は、Ｏリング８１を介して鉗子挿入部４１の開口孔５７に挿入して装着される。
【００３７】
一方、オス型コネクタである雄型流体コネクタ６３は、回転規制スリーブ８３と、ルアー回転リング（回転リング）８５とを備える。図５（ａ）に回転規制スリーブの外観斜視図、（ｂ）に（ａ）におけるＣ矢視図を、図６にルアー回転リングの縦断面図を示した。
【００３８】
図２、図３および図５に示すように、回転規制スリーブ８３は、略中空円筒状に形成された部材であり、先端側に設けられたノズル部８７と、このノズル部８７の基端側に固設されたカラー部８９とを有し、中心に流路孔９１が貫通して形成されている。
【００３９】
ノズル部８７は、雌型流体コネクタ６１の流路孔（テーパ孔）６９に挿入され嵌合する部分であり、ノズル部８７の外周面９３は、雌型流体コネクタ６１の流路孔（テーパ孔）６９と同じテーパ、例えば６°のテーパ面となっている。これにより、雌型流体コネクタ６１と雄型流体コネクタ６３とが結合されたとき、ノズル部８７の外周面９３と雌型流体コネクタ６１の流路孔（テーパ孔）６９とが密接し、流体の漏れが防止される。
【００４０】
カラー部８９は、回転規制スリーブ８３の軸方向略中央部に設けられた鍔部９５の外周から軸方向と平行に延出して一体に形成されたリング部９７を有する。リング部９７には、１８０°の位相で一対のキー溝９９が形成されている。キー溝９９の幅Ｗは、第１のルアー突起部７７の幅と等しいか、わずかに大きくなっており、雌型流体コネクタ６１と雄型流体コネクタ６３とが結合されるとき、キー溝９９に第１のルアー突起部７７が係合して相対的な回転が阻止される。カラー部８９の外径は、ルアー回転リング８５の最小内径より大きくされている。また、回転規制スリーブ８３の後端側（ノズル部８７と反対側）は、大径とされて後述するＬ型アダプタリング１０５の雌ねじ１０７（図３参照）に螺合する雄ねじ１０１が形成されている。
【００４１】
図６に示すように、ルアー回転リング８５は、内周面に雌ねじ部である２条右雌ねじ１０３が形成されている。２条右雌ねじ１０３の形状は、第２のルアー突起部７９と螺合可能な、例えばピッチ２．５ｍｍの雌ねじである。２条右雌ねじ１０３の形状は、第２のルアー突起部７９に螺合可能な形状であれば任意の形状とすることができるが、ＩＳＯ ５９４／２に準拠した形状とすることが望ましい。
【００４２】
また、回転規制スリーブ８３は、図２および図３に示すように、後端側（カラー部８９のノズル部８７と反対側）にルアー回転リング８５を回転自在に取り付けられている。接着剤が塗布された雄ねじ１０１をＬ型アダプタリング１０５の雌ねじ１０７に螺合して接着・固定することで、ルアー回転リング８５は、一体に接着・固定された回転規制スリーブ８３およびＬ型アダプタリング１０５に対して回転自在に介装される。
【００４３】
Ｌ型アダプタリング１０５は、軸方向に形成された貫通穴１０９と、該貫通穴１０９に連通して半径方向に形成された分岐孔１１１とを有し、貫通穴１０９にはスリーブ１１３が固着され、分岐孔１１１には補助スリーブ１１５が固着されている。スリーブ１１３の軸方向に形成された貫通穴１１７（図２参照）には、補助スリーブ１１５に連通する横穴１１９が形成されている。
【００４４】
補助スリーブ１１５には、エクステンションチューブ１２１などが接続される。また、鉗子挿入部４１の不使用時には、スリーブ１１３の先端に鉗子栓（図示せず）が装着されて、貫通穴１１７が閉鎖される。
【００４５】
次に、図７および図８を参照して本実施形態のルアーロック型流体コネクタ２００の接続の際の作用を説明する。
図７（ａ），（ｂ），（ｃ）は雌型流体コネクタと雄型流体コネクタとを結合する状態を作業順に示す断面図、図８（ａ），（ｂ），（ｃ）はそれぞれ図７（ａ），（ｂ），（ｃ）に対応する状態の雌型流体コネクタと雄型流体コネクタの要部斜視図である。なお、説明の都合上、図７には第１のルアー突起部を仮想線で示して第１および第２のルアー突起部を同一図面上に示す。また、理解を容易にするため図８には図７に示すルアーロック型流体コネクタの要部のみを示す。
【００４６】
まず、図７（ａ）および図８（ａ）に示すように、雌型流体コネクタ６１の流路孔（テーパ孔）６９に、雄型流体コネクタ６３の回転規制スリーブ８３のノズル部８７を対向させて結合の準備をする。このとき、雌型流体コネクタ６１に設けられた一対の第１のルアー突起部７７と、回転規制スリーブ８３のカラー部８９に設けられた一対のキー溝９９とが、同じ位相となるように配置する。
【００４７】
そして、図７（ｂ）および図８（ｂ）に示すように、キー溝９９にルアー突起部７７を係合させながら、ノズル部８７を流路孔６９に挿入する。このように、キー溝９９にルアー突起部７７が係合することによって、雌型流体コネクタ６１に対して回転規制スリーブ８３、換言すれば雄型流体コネクタ６３（ルアー回転リング８５を除く）の回転が規制される。
【００４８】
ノズル部８７が流路孔６９へ挿入されることに伴って、雌型流体コネクタ６１の連結用円筒部６７は、ルアー回転リング８５の２条右雌ねじ１０３内に挿入されるが、一対のルアー突起部７７の直径Ｄ１より２条右雌ねじ１０３の内径の方が大きいので、相互に干渉することなく挿入される。
【００４９】
次いで、図７（ｃ）および図８（ｃ）に示すように、ルアー回転リング８５を右回転させると、ルアー回転リング８５の２条右雌ねじ１０３に回転規制スリーブ８３の一対の第２のルアー突起部７９が螺合し、回転規制スリーブ８３が雌型流体コネクタ６１方向に移動する。これによって、雌型流体コネクタ６１のテーパ孔（流路孔）６９と、回転規制スリーブ８３のノズル部８７のテーパ面が密接し、雌型流体コネクタ６１と雄型流体コネクタ６３とが気密状態で結合される。
【００５０】
このように、雌型流体コネクタ６１と雄型流体コネクタ６３とは、キー溝９９にルアー突起部７７が係合し、更に雌型流体コネクタ６１のテーパ孔（流路孔）６９と回転規制スリーブ８３のノズル部８７とがテーパ面で密接しているので、相対回転が阻止され、且つ気密状態で結合される。
【００５１】
次に、内視鏡１００の鉗子挿入部４１に装着された上記構成の雌型流体コネクタ６１に、従来構造のルアーロック機構を有するオス型コネクタ３（図１０参照）が接続される状態について、図９を参照して説明する。図９は本発明に係る雌型流体コネクタに、従来のルアーロック機構を有するオス型コネクタが接続される状態を示す斜視図である。
【００５２】
図９に示すように、本発明の雌型流体コネクタ６１と、従来のルアーロック機構を有するオス型コネクタ３を対向させて、雌型流体コネクタ６１の流路孔（テーパ孔）６９にオス型コネクタ３のノズル部７を挿入・嵌合させた後、カラー部１１を右回転させて、２条右雌ねじ９を一対の第１のルアー突起部７７に螺合させて結合する。
【００５３】
オス型コネクタ３の２条右雌ねじ９と、本発明の雌型流体コネクタ６１の第１のルアー突起部７７とは、いずれもＩＳＯ ５９４／２に規定された形状に準拠して形成されているので接続の互換性を有し、共通に螺合・結合することができる。なお、この結合終了時においても、カラー部１１が雌型流体コネクタ６１の第２のルアー突起部７９の位置に達することはなく、従って第２のルアー突起部７９は干渉することがない。
【００５４】
本実施形態のルアーロック型流体コネクタ２００によれば、キー溝９９に第１のルアー突起部７７が係合することによって、雌型流体コネクタ６１に対する回転規制スリーブ８３、換言すれば雄型流体コネクタ６３の回転が規制されるので、雄型流体コネクタ６３から半径方向に突出して設けられたエクステンションチューブなどに誤って接触したり、雄型流体コネクタ６３に回転方向の力が作用しても、ルアーロック型流体コネクタ２００の結合が緩んだり、外れたりすることが防止される。これにより、信頼性が高く、内視鏡などに適用するのに好適なルアーロック型流体コネクタ２００が得られる。
【００５５】
更に、従来のルアーロック機構との完全互換性が維持されているので、従来のオス型ルアー接続器具を本発明のルアー接続器具である雌型流体コネクタに接続することができ、利便性を向上させることができる。
【００５６】
なお、本発明は、前述した実施形態に限定されるものではなく、適宜、変形、改良、等が可能である。例えば、第１および雄型流体コネクタのロック結合は、ルアー回転リングの２条右雌ねじと、雌型流体コネクタに設けられた一対の第２のルアー突起部とからなるルアーロック機構で行うように説明したが、必ずしもルアーロック機構とする必要はなく、任意のロック機構を用いることができる。
【産業上の利用可能性】
【００５７】
また、本発明においては、ルアーロック型流体コネクタは内視鏡の鉗子挿入部に適用されたものとして説明したが、これに限定されるものではなく、密接状態での接続が要求される任意の流体コネクタにも同様に適用することができる。
【図面の簡単な説明】
【００５８】
【図１】本発明の実施の形態に係る内視鏡の全体構成図である。
【図２】図１に示す内視鏡の鉗子挿入部に配設されたルアーロック型流体コネクタのＡ−Ａ断面図である。
【図３】鉗子挿入部に配設されたルアーロック型流体コネクタの分解斜視図である。
【図４】（ａ）は雌型流体コネクタの外観斜視図、（ｂ）は図４（ａ）におけるＢ矢視図である。
【図５】（ａ）は回転規制スリーブの外観斜視図、（ｂ）は図５（ａ）におけるＣ矢視図である。
【図６】ルアー回転リングの縦断面図である。
【図７】（ａ），（ｂ），（ｃ）は雌型流体コネクタと雄型流体コネクタとを結合する状態を作業順に示す断面図である。
【図８】（ａ），（ｂ），（ｃ）はそれぞれ図７（ａ），（ｂ），（ｃ）に対応する状態の雌型流体コネクタと雄型流体コネクタの要部斜視図である。
【図９】本発明の雌型流体コネクタに、従来のルアーロック機構を有するコネクタが接続される状態を示す斜視図である。
【図１０】従来のルアーロック機構を有するメス型コネクタとオス型コネクタとが結合する状態を作業順に示す断面図である。
【符号の説明】
【００５９】
２１  操作部
２３  挿入部
４１  鉗子挿入部（開口端）
４３  チャネル
６１  雌型流体コネクタ
６３  雄型流体コネクタ
６７  連結用円筒部
６９  流路孔
７１  テーパ面（流路孔の内周面）
７７  第１のルアー突起部
７９  第２のルアー突起部
８３  回転規制スリーブ
８５  ルアー回転リング
８７  ノズル部
８９  カラー部
９３  ノズル部の外周面
９９  キー溝
１００  内視鏡
１０３  雌ねじ部（二条ねじ）
２００  ルアーロック型流体コネクタ
【図１】
0005183238.tif 000002
【図２】
0005183238.tif 000003
【図３】
0005183238.tif 000004
【図４】
0005183238.tif 000005
【図５】
0005183238.tif 000006
【図６】
0005183238.tif 000007
【図７】
0005183238.tif 000008
【図８】
0005183238.tif 000009
【図９】
0005183238.tif 000010
【図１０】
0005183238.tif 000011